(57)【要約】【課題】  屋外での調理において火種確保等の煩わしさを解消し、携帯や収納面で優れると共に、少ない電力で効率よく加熱することができ、使用時における高い利便性を発揮する調理器具を提供すること。【解決手段】  本発明の調理器具は、調理器具１の器具本体２底部に収納部５を設け、かかる収納部５内に、ポリエステルフィルムの上面にニッケルインヂウム酸化化合物を添加した塗料を塗布した面に、ポリエステルフィルムを積層被覆し、両端に電極を圧着接合し電極部に電源を接続して形成される発熱体２０を収容させたことを特徴とする。また、前記電源を充電池とした。また前記電源を調理器具の把手内に収容させた。さらに前記発熱体に車両用のシガライタープラグを接続させた。【選択図】図１
2008142505.tif 000002
【特許請求の範囲】
【請求項１】
調理器具の器具本体の底部に収納部を設け、かかる収納部内に、ポリエステルフィルムの上面にニッケルインヂウム酸化化合物を添加した塗料を塗布した面に、ポリエステルフィルムを積層被覆し、両端に電極を圧着接合し電極部に電源を接続して形成される発熱体を収容させたことを特徴とする調理器具。
【請求項２】
前記電源を充電池とした請求項１記載の調理器具。
【請求項３】
前記充電池を調理器具の把手内に収容させた請求項１または２記載の調理器具。
【請求項４】
前記発熱体に車両用のシガライタープラグを接続させた請求項１乃至３のうちいずれか１記載の調理器具。
【発明の詳細な説明】
【技術分野】
【０００１】  本発明は、屋外での調理において、火種確保等の煩わしさを解消し、少ない電力で効率よく加熱することができる調理器具に関する。
【背景技術】
【０００２】  従来、被調理食品への伝熱が良く、しかも灼熱化をも達成することができると共に、むらし効果やかまど炊き（包み焼き）風の調理効果を期待することができるフライパンがある（例えば、特許文献１参照）。【０００３】  上掲特許文献１のフライパンは、底部と側面部とで断面がほぼコ字形状をなす容器状の本体を含み、ステンレス鋼板で良伝熱材料を挟持した多層構造を有するフライパンにおいて、前記良伝熱材料として、少なくとも表層部に貴金属元素を含む層を有する炭素材料を選択使用し、この炭素材料とステンレス鋼板とを接触接合させることを特徴としている。
【特許文献１】特開平０８−８９４１７号公報（第１頁、図１）
【発明の開示】
【発明が解決しようとする課題】
【０００４】  しかしながら特許文献１のフライパンは、調理の際、ガスや電気などの加熱手段が必要であり、使用範囲が限定された。また屋外で使用する場合、携帯用のガスコンロを一緒に持ち運ぶ必要が生じ利便性も低下した。【０００５】  そこで本発明は上記の点に鑑み、屋外での調理において火種確保等の煩わしさを解消し、携帯や収納面で優れると共に、少ない電力で効率よく加熱することができ、使用時における高い利便性を発揮する調理器具を提供することにある。
【課題を解決するための手段】
【０００６】  上記課題を解決するために、本発明の調理器具は、調理器具の器具本体底部に収納部を設け、かかる収納部内に、ポリエステルフィルムの上面にニッケルインヂウム酸化化合物を添加した塗料を塗布した面に、ポリエステルフィルムを積層被覆し、両端に電極を圧着接合し電極部に電源を接続して形成される発熱体を収容させたことを特徴とする。また、前記電源を充電池とした。また前記電源を調理器具の把手内に収容させた。さらに前記発熱体に車両用のシガライタープラグを接続させた。
【発明の効果】
【０００７】  調理器具の収納部内に、ポリエステルフィルムの上面にニッケルインヂウム酸化化合物を添加した塗料を塗布した面に、ポリエステルフィルムを積層被覆し、両端に電極を圧着接合し電極部に電源を接続して形成される発熱体を収容させたことにより、少ない電力で効率よく加熱することができる、また電源を充電池としたことで、コンセントやプラグを必要とせず屋外での調理を行うことができる。また前記電源を把手内に収容させたことで、調理の際の使用勝手や操作も容易になる。さらに前記発熱体に車両用のシガライタープラグを接続させたことで、屋外での調理の利便性が高まる。なお、本発明の調理器具の底面を平面状とすることで、ピザやナンを作製することも可能になる。
【発明を実施するための最良の手段】
【０００８】  以下、本発明における調理器具の実施の形態を図面に基づいて説明する。
図１に示す調理器具１は、器具本体２と、かかる器具本体２の側面に装着された把手３とで構成されている。図示する調理器具１はフライパンを表すものであるが、これに限らず、器具本体に把手を有するものであれば、如何なる種類のものでもよい。
【０００９】  前記調理器具１の器具本体２の底部４には、薄平状の収納部５が形成されている。かかる収納部５は適宜の強度を有し、耐熱、防錆、耐腐食特性を有する金属で形成されている。また収納部５内には発熱体２０が設置されている。
【００１０】  前記発熱体２０は、図３に示すように、ポリエステルフィルム基台２１の上面に、ニッケルインヂウム酸化化合物を添加した塗料２２をスプレー塗布し、熱硬化処理を行い、その上面にポリエステルフィルム２３を積層被覆して絶縁性を図る。この時の発熱膜は７μｍ〜５０μｍの厚さで、温度帯により膜厚を変化させる。
【００１１】  また両端に電極端子２４を圧着固定し、電源・電線２６を接続し、絶縁テープ２７で接着固定させ電極部２５を構成し、ニッケルインヂウム酸化化合物の特性により抵抗発熱させることを特徴としている。なおこの発熱体２０は、特開２００４−３１６３７７号（米国特許第７０６０９５０号）公報に開示されている周知の技術である。
【００１２】  上述の発熱体２０を収納部５内に均等に配設されるように収納することにより、少ない電力コストで発熱体２０を瞬時に発熱させることができ、調理器具２の底面を効率よく加熱させることができる。
【００１３】  また、前記発熱体２０を発熱させる電源を充電池１０とした。かかる充電池１０は、リチウムイオン充電池、ニッカド充電池、カドミウム充電池、ニッケルカドミウム充電池、ニッケル水素充電池等の充電池が用いられる。また前記充電池１０は、充電器（図示せず）にて充電することにより、何回も繰り返し使用することができるため、経済的にも優れる。
【００１４】  また前記充電池１０は調理器具１の把手内３に収容されている。前記充電池１０は、中空状に形成された把手３の先端部分に配設されており、端部のキャップ６を取り外すことにより、収脱自在にセットすることができる。また把手３内には、前記発熱体２０と充電池１０を連結する電源・電線２６が配設されている。
【００１５】  前記充電池１０を調理器具１の把手３内に収容することで、コードや電源が調理中の邪魔にならない。また充電する際の充電池１０の挿脱も容易となり、操作性や使用勝手もよい。なお、前記把手３は内部に水滴等が浸水しないように防水加工を施すことが好ましい。
【００１６】  また他の好適例として、前記発熱体２０に車両用のシガライタープラグ１１を接続させることが好ましい。車両のシガライタープラグ１１を接続させたことにより、車両のバッテリー電源にて発熱体２０を加熱させることが可能となり、屋外のキャンプやアウトドアでの調理を手軽に行うことができる。
【図面の簡単な説明】
【００１７】
【図１】本発明における調理器具の全体図である。
【図２】前記調理器具の断面図である。
【図３】発熱体の詳細を示す。
【符号の説明】
【００１８】１    調理器具
２    器具本体
３    把手
４    底部
５    収納部
６    キャップ
１０  充電池
１１  シガライタープラグ
２０  発熱体
２１  ポリエステルフィルム基台
２２  塗料
２３  ポリエステルフィルム
２４  電極端子
２５  電極部
２６  電源・電線
２７  絶縁テープ
【図１】
2008142505.tif 000003
【図２】
2008142505.tif 000004
【図３】
2008142505.tif 000005